(57)【要約】【課題】上カバーと下カバーとが無理矢理にこじ開けられて制御素子が取り替え、改造される不正行為を効果的に防止することが可能な防犯性能の高い遊技機用制御装置を提供する。【解決手段】パチンコ機の背面には、制御装置１２０が設置されており、当該制御装置１２０においては、上カバー（表側ケース部材３１、かしめカバー部材１４２）および下カバー（裏側ケース部材１３１、ベース部材１４１）によって、ＲＯＭ等の制御素子を搭載したメイン制御基板１２１が覆われた状態になっている。また、制御装置１２０の上カバー（かしめカバー部材１４２）および下カバー（ベース部材１４１）の一部に、封緘ベルト１が捲回されている。【選択図】図１２
2015221098.tif 000002
【特許請求の範囲】
【請求項１】
制御素子を設置した基板が、上カバーと下カバーとによって覆われているとともに、
矢尻状の抜け止め突起を形成した帯状部と、その帯状部の抜け止め突起と係合する係合体を内蔵したハウジングとを有する封緘ベルトが、上カバーと下カバーとを分離させないように、上カバーおよび下カバーを捲回した状態で帯状部の抜け止め突起をハウジング内の係合体と係合させた遊技機用制御装置であって、
前記封緘ベルトの帯状部が、表面に露出しない状態で上カバーおよび下カバーの一部に捲回されていることを特徴とする遊技機用制御装置。
【請求項２】
前記封緘ベルトのハウジングが、上カバーあるいは下カバーに形成された凹部内に入り込んだ状態になっていることを特徴とする請求項１に記載の遊技機用制御装置。
【発明の詳細な説明】
【技術分野】
【０００１】
本発明は、パチンコ機、スロットマシーン等の遊技機に設置される制御装置に関するものである。
【背景技術】
【０００２】
従来、パチンコ機やスロットマシン等の遊技機には、所謂「大当たり抽選」等の遊技に係る制御を実行する制御装置が内蔵されている。そのような制御装置の中には、制御基板を収容する収容ケースの上カバー（カバー部材）と下カバー（ベース部材）とをワンウェイタイプのネジ等により一体化するとともに、工具を用いて当該ワンウェイタイプのネジによる螺着部分を切断しなければ収容ケースを開放できないように構成し、制御基板に対する不正行為（たとえば、改造されたＲＯＭへの差し替え等）の防止機能を高めたものが知られている。
【０００３】
また、特許文献１の如く、合成樹脂製の封緘ベルトを、組み付けた上カバーおよび下カバーの外周に捲回させ、ニッパ等の工具を利用してその封緘ベルトを切断しなければ、上カバーと下カバーとを開放できないように構成した制御装置も知られている。当該封緘ベルトは、一旦、帯状部の先端をハウジング内に挿入させると、ハウジング内から引き抜くことができないように構成されている。また、そのような封緘ベルトとしては、特許文献２の如く、帯状部の先端の鋸歯状の爪部をハウジング内部の鋸歯状の爪部と係合させる所謂ラチェット機構を備えたものが知られている。
【先行技術文献】
【特許文献】
【０００４】
【特許文献１】特開２００４−２９０３５６号公報
【特許文献２】特開平２−３２９６７号公報
【発明の概要】
【発明が解決しようとする課題】
【０００５】
しかしながら、特許文献２の如き封緘ベルトは、ハウジングの帯状部の挿入口から針金等が挿入されると、帯状部の先端の爪部とハウジング内の爪部との係合が解除されてしまう虞れがある。それゆえ、上カバーと下カバーとを組み付けた制御装置をそのような封緘ベルトで捲回しても、上カバーと下カバーとを無理矢理に開放する不正行為を効果的に抑制することは困難であった。
【０００６】
本発明の目的は、上記従来の遊技機用の制御装置が有する問題点を解消し、上カバーと下カバーとが無理矢理にこじ開けられて制御素子が取り替え、改造される不正行為を効果的に防止することが可能な防犯性能の高い遊技機用制御装置を提供することにある。
【課題を解決するための手段】
【０００７】
かかる本発明のうち、請求項１に記載された発明は、制御素子を設置した基板が、上カバーと下カバーとによって覆われているとともに、矢尻状の抜け止め突起を形成した帯状部と、その帯状部の抜け止め突起と係合する係合体を内蔵したハウジングとを有する封緘ベルトが、上カバーと下カバーとを分離させないように、上カバーおよび下カバーを捲回した状態で帯状部の抜け止め突起をハウジング内の係合体と係合させた遊技機用制御装置であって、前記封緘ベルトの帯状部が、表面に露出しない状態で上カバーおよび下カバーの一部に捲回されていることを特徴とするものである。
【０００８】
請求項２に記載された発明は、請求項１に記載された発明において、前記封緘ベルトのハウジングが、上カバーあるいは下カバーに形成された凹部内に入り込んだ状態になっていることを特徴とするものである。
【発明の効果】
【０００９】
請求項１に記載された制御装置は、封緘ベルトの帯状部が表面に露出しない状態で上カバーおよび下カバーの一部に捲回されているため、工具等を利用しても封緘ベルトの帯状部を切断することが困難であるので、痕跡を残さないように制御素子に対して不正行為を働くことが難しく、良好な防犯性を発揮することができる。
【００１０】
請求項２に記載された制御装置は、封緘ベルトのハウジングが、上カバーあるいは下カバーに形成された凹部内に入り込んだ状態になっているので、工具等を利用しても封緘ベルトの帯状部の抜け止め突起とハウジング内の係合体との係合を解除させて上カバーと下カバーとをこじ開けることが困難であるので、痕跡を残さないように制御素子に対して不正行為を働くことがきわめて難しく、非常に優れた防犯性を発揮することができる。
【図面の簡単な説明】
【００１１】
【図１】パチンコ機の背面を示す説明図である。
【図２】制御装置を示す説明図（正面図）である。
【図３】制御装置の鉛直断面を示す説明図である（ａはＡ−Ａ線断面を示したものであり、ｂはＢ−Ｂ線断面を示したものであり、ｃはＣ−Ｃ線断面を示したものであり、ｄはｃにおける鎖線部分を拡大して示したものである）。
【図４】制御装置を分解して示す説明図（斜視図）である。
【図５】分解した内ケースおよびメイン制御基板を拡大して示す説明図（斜視図）である。
【図６】ベース部材を示す説明図（斜視図）である。
【図７】かしめカバー部材を示す説明図である（ａは上方から見た斜視図であり、ｂは下方から見た斜視図である）。
【図８】内ケースおよび外ケースのネジ止め態様を示す説明図（斜視図）である（メイン制御基板の記載は省略されている）。
【図９】ベース部材へ内ケースを組み付けた状態を示す説明図である（ａは正面図であり、ｂは斜視図である）。
【図１０】封緘バンドの正面を示す説明図である。
【図１１】封緘バンドの左側面を一部裁断して示す説明図である（斜線部分は、左右幅方向における中央の鉛直断面を示したものである）。
【図１２】制御装置の鉛直断面（図２におけるＢ−Ｂ線断面）を示す説明図である（ａは封緘ベルトの未装着の状態を示したものであり、ｂは封緘ベルトを装着した状態を示したものである）。
【発明を実施するための形態】
【００１２】
以下、本発明に係る制御装置の一実施形態（パチンコ機へ設置した一実施形態）について、図面に基づいて詳細に説明する。
【００１３】
（１）制御装置の構造
図１は、制御装置を設置したパチンコ機の裏面を示したものである。パチンコ機１０１の裏側に付設された機枠１０２の中央よりやや下側には、パチンコ機１０１の遊技内容を制御ずるための制御装置１２０が取り付けられており、当該制御装置１２０の外側は、透明な合成樹脂製の裏カバー１３０で覆われた状態になっている。また、後述するように、制御装置１２０の外周（かしめカバー部材１４２およびベース部材１４１の外周）は、ラチェット機構を備えた封緘ベルト１（図１等においては図示せず）によって締着（封緘）された状態になっている。
【００１４】
図２、図３は、それぞれ、制御装置１２０の正面、鉛直断面を示したものであり、図４は、制御装置１２０を分解した状態を示したものである。なお、制御装置１２０は、正面をパチンコ機１０１の後方に向けた状態で、機枠１０３に装着された機構板に設置されており、以下の説明における“左右上下”は、特に断り書きがない限り、制御装置１２０の正面側（後述するかしめカバー部材１４２側）から見た場合の“左右上下”を言うものとする。制御装置１２０は、メイン制御基板１２１、メイン制御基板１２１を収容可能な裏側ケース部材１３１および表側ケース部材１３２からなる内ケース１２２、当該内ケース１２２を収容可能なベース部材１４１およびカバー部材１４２からなる外ケース１２３、シール切断部材１１２等によって構成されている。なお、制御装置１２０においては、表側ケース部材１３２およびかしめカバー部材１４２（キャップ１１１，１１１を含む）が上カバーとして機能し、裏側ケース部材１３１およびベース部材１４１が下カバーとして機能する。
【００１５】
メイン制御基板１２１は、パチンコ機１０１の遊技内容に係る制御を実行するものであり、表面には、ＲＯＭ１１０，ＣＰＵやＲＡＭ（図示せず）等の種々の制御素子が設置されている。また、メイン制御基板１２１の表面下部には、メイン制御基板１２１を他の電子部材と接続するためのコネクタ１２５，１２５が設けられている。さらに、メイン制御基板１２１の左右側縁部には、内ケース１２２内にネジ止めするためのネジ孔１２１ａ，１２１ａ・・が設けられている。そして、当該メイン制御基板１２１は、表面を外側へ向けてコネクタ１２５，１２５を下方に位置させた状態で、内ケース１２２内に収容され固定されている。
【００１６】
図５は、内ケース１２２およびメイン制御基板１２１を示したものであり、内ケース１２２は、メイン制御基板１２１の裏面を覆う裏側ケース部材１３１と、メイン制御基板１２１の表面を覆う表側ケース部材１３２とを組み付けてなるもので、両ケース部材１３１，１３２を組み付けることで形成される内部空間にメイン制御基板１２１を収容可能となっている。裏側ケース部材１３１は、ポリカーボネート樹脂により成形されており、外力が加わっても割れにくいようになっている。また、表側ケース部材１３２は、ＡＳ樹脂により成形されており、内ケース１２２を強引にこじ開けようとした場合等にドライバー等の先端によって表面に傷がつき易く、不正行為の痕跡が残り易いようになっている。
【００１７】
表側ケース部材１３２は、略中央に外方へ膨出する膨出部を有し、後方側（メイン制御基板１２１と対峙した側）を開口させた箱状体であって、膨出部の中央上方には、メイン制御基板１２１の表面に設置されたＲＯＭを視認するための視認窓１０９が設けられている。また、表側ケース部材１３２の下部には、メイン制御基板１２１のコネクタ１２５，１２５を露出させるためのコネクタ窓１３３，１３３・・が開設されている。各コネクタ窓１３３，１３３・・の形状（外周の形状）は、各コネクタ１２５，１２５の形状と略同じに形成されている。また、表側ケース部材１３２の下部の左右両端には、係止凹部１３４，１３４が設けられている。さらに、表側ケース部材１３２の上部の左右両端には、ベース部材１４１へネジ止めするためのネジ孔を穿設した固定片１３５，１３５が突設されている。加えて、表側ケース部材１３２の上端縁には、一対の鍔片１３６，１３６が上方へ突設されており、表側ケース部材１３２の左右側縁には、一対の押止片１３７，１３７が外方へ突出するように設けられている。加えて、表側ケース部材１３２の内面には、裏側ケース部材１３１およびメイン制御基板１２１をネジ止めするためのネジ受け部（図示せず）が設けられている。
【００１８】
また、裏側ケース部材１３１は、表側ケース部材１３２の開口と略同じ大きさに形成された板状体であり、表側ケース部材１３２の開口内へ嵌め込むようにして組み付けることができるようになっている。当該裏側ケース部材１３１の四隅には、表側ケース部材１３２と一体化するためのネジ孔１３８，１３８・・が穿設されている。また、裏側ケース部材１３１の下縁には、後方へ突出する凸条部１３９が設けられており、表側ケース部材１１３２と一体化した後でコネクタ窓１３３，１３３・・周縁からの工具等の差し込み、メイン制御基板１２１に設置された各種素子への干渉を防止可能となっている。
【００１９】
一方、図４等の如く、外ケース１２３は、前方に開口を有するポリカーボネート樹脂製のベース部材１４１と、当該ベース部材１４１の開口を覆うように組み付けられるアクリル樹脂製のかしめカバー部材１４２とからなるもので、両部材１４１，１４２を組み付けることで形成される内部空間に内ケース１２２を収容可能となっている。また、図６は、ベース部材１４１を示したものであり、ベース部材１４１は、前板の上下左右縁に沿って上機能部１４５、側機能部１４６，１４６、および下壁部１４７をそれぞれ後方へ立設してなるもので、当該上機能部１４５、左右の両側機能部１４６，１４６、および下壁部１４７に囲まれた空間１４１ａ内に内ケース１２２を収容することができるようになっている。上機能部１４５には、一対のビス収納部１４８，１４８が凹設されており、各ビス収納部１４８，１４８には、ベース部材１４１とかしめカバー部材１４２とを組み付けるための予備の不正防止用ビス１４４が収納可能となっている。
【００２０】
また、上機能部１４５の中央および左右両端部には、上面に開口した嵌入凹部１４５ａ，１４５ａ・・が設けられており、かしめカバー部材１４２に設けられた嵌入突起１５２ｃを嵌入可能となっている（図３（ａ），（ｂ）参照）。一方、各側機能部１４６には、４つの支持リブにより円筒部を支持してなる２つのビス受け部１４９，１４９が上下方向に連設されている。各ビス受け部１４９，１４９の円筒部は、固着前の不正防止用ビス１４４を挿通可能な径とされており、該円筒部の後方は、前板（被覆部）によって被覆状態とされている。また、ビス受け部１４９，１４９の下方には、下側のビス受け部１４９と下壁部１４７とを連結するように補強部１５０が設けられており、当該補強部１５０の左右方向内側には、内ケース１２２を組み付けた際に係止凹部１３４に係止する係止片１４３，１４３が一体的に形成されている。さらに、空間１４１ａの上部位置には、内ケース１２２を収容状態でネジ止めするためのネジ止め部１５１，１５１が設けられている。加えて、片側のネジ止め部１５１の外側には、制御装置１２０を機枠１０３の後面側に設置する際に使用する取付部材１８０が設置されている。なお、ビス収納部１４８内には、不正防止用ビス１４４の軸部を挟持する一対の挟持リブ１４８ａが設けられており、穴を空けて予備の不正防止用ビス１４４を取り出すといった不正行為を防止可能としている。また、各補強部１５０の前方と前板との間には空間が形成されており、後述するかしめカバー部材１４２の嵌合突起１５３ｄを嵌合可能になっている。
【００２１】
一方、図７は、かしめカバー部材１４２を示したものであり、かしめカバー部材１４２は、前板の上縁および左右縁に沿って、後方へ突出する上機能部１５２、および側機能部１５３，１５３をコ字状に連設してなるもので、ベース部材１４１の空間１４１ａの前方を覆うように組み付け可能となっている。上機能部１５２は、ベース部材１４１の上機能部１４５の上面を被覆する上壁１５２ａと、上壁１５２ａおよび前板と一体的に形成された押さえリブ１５２ｂおよび嵌入突起１５２ｃとからなる。押さえリブ１５２ｂは、かしめカバー部材１４２の組み付け時に、空間１４１ａに収容された内ケース１２２の鍔片１３６に当接して内ケース１２２の表側ケース部材１３２を押さえる機能を果たすとともに、かしめカバー部材１４２上部の補強をも担っている。また、嵌入突起１５２ｃは、かしめカバー部材１４２をベース部材１４１に組み付ける際に、嵌入凹部１４５ａへ上方から嵌入して、ベース部材１４１とかしめカバー部材１４２とをより強固に一体化可能としている。
【００２２】
また、かしめカバー部材１４２の各側機能部１５３，１５３は、不正防止用ビス１４４を挿通可能な六角形状の挿通孔を有するビス挿通部１５３ａ，１５３ａと、収容状態にある内ケース１２２を押止する押止リブ１５３ｂと、格子状に形成された補強リブ１５３ｃとからなる。ビス挿通部１５３ａは、ネジ保持部として機能するものであり、ベース部材１４１のビス受け部１４９に対応して上下に２つ連設されている。各ビス挿通部１５３ａは、ニッパ等により切断可能な切断リブ１５４，１５４・・を介して後板等と連結されており、切断リブ１５４，１５４・・（図２参照）を切断することによって、かしめカバー部材１４２の本体から切り離すことができる。また、押止リブ１５３ｂは、ビス挿通部１５３ａや補強リブ１５３ｃ等よりも後方へ突出しており、ベース部材１４１への組み付け時に、収容状態にある内ケース１２２の押止片１３７に当接し、上記押さえリブ１５２ｂ同様、内ケース１２２の表側ケース部材１３２を押止する機能を果たす。さらに、補強リブ１５３ｃは、前板等と一体的に形成されており、ベース部材１４１への組み付け時に、空間１４１ａに収容された表側ケース部材１３２の表面や固定片１３５に当接して表側ケース部材１３２を押さえる機能を果たす（図３（ａ）参照）とともに、かしめカバー部材１４２側部の補強をも担っている。また、各側機能部１５３の下端部は、後板よりも下方へ突出しており、組み付け時に係止片１４３の前方を覆うようになっている。加えて、各側機能部１５３，１５３の下端部には、ベース部材１４１への組み付け時に補強部１５０の前方に嵌合する嵌合突起１５３ｄが設けられている。
【００２３】
（３）制御装置の組み付け方法
以下、上記の如く構成された内ケース１２２および外ケース１２３の組み立てについて、図８、図９に基づいて説明する。まず、内ケース１２２の組み付けに際しては、裏側ケース部材１３１を、その前方にメイン制御基板１２１を介在させた状態で、後方からネジ１２４、１２４・・により表側ケース部材１３２へネジ止めする。その際に、メイン制御基板１２１も、同ネジ１２４，１２４・・により、内ケース１２２内部において表側ケース部材１３２へネジ止めされる。そのように組み付けられると、裏側ケース部材１３１が、表側ケース部材１３２の開口内へ嵌め込まれた状態となり、強引にこじ開けようとしてもメイン制御基板１２１の表面（素子設置面）が露出しにくいようになっている。
【００２４】
次に、上記の如く組み立てた内ケース１２２をベース部材１４１に組み付ける。当該組み付けに際しては、今回の組み立てにおいては使用しない予備の不正防止用ビス１４４，１４４をベース部材１４１のビス収納部１４８へ収納した後、空間１４１ａ内へ内ケース１２２を嵌め込み、ネジ１５５，１５５により固定片１３５をネジ止め部１５１にネジ止めして組み付ける。その際に、内ケース１２２の鍔片１３６，１３６がビス収納部１４８の開口を覆った状態となり、内ケース１２２の下部では、係止凹部１３４に係止片１４３が係止した状態となる。また、内ケース１２２の前面は、ベース部材１４１の内面に当接した状態となる。
【００２５】
しかる後、固有のＩＤを記憶したＩＣタグを有する識別シール１５６を、内ケース１２２の鍔片１３６の前面とベース部材１４１の上機能部１４５の上面とに跨るように貼着する。このとき、ＩＣタグ（すなわち、ＩＤを記憶したチップおよび外部端末との間で無線通信を行うためのアンテナ部を含むもの）をベース部材１４１の上面側に位置させるように識別シール１５６を貼着し、かしめカバー部材１４２を介して外部端末を近接させた場合にＩＤを読み取り可能とする。また、識別シール１５６の鍔片１３６側の表面には、ＩＤとは異なる別の識別番号が記載されており、目視で識別番号の確認を可能としている。さらに、同表面には、シールの剥離に使用するような溶液等が付着すると化学反応によって変色する反応部（残痕部）が設けられおり、識別シール５６の不正剥離を防止している。
【００２６】
上記の如くベース部材１４１に内ケース１２２を組み付け、識別シール１５６を貼着した後には、ベース部材１４１とかしめカバー部材１４２とを不正防止用ビス１４４，１４４を用いて一体化する。このとき、かしめカバー部材１４２は、ベース部材１４１の上方から下方へスライドさせ、各嵌入突起１５２ｃを嵌入凹部１４５ａ内へ嵌入させるとともに、嵌合突起１５３ｄ，１５３ｄを補強部１５０の前方へ嵌合させる。そして、左右のビス挿通部１５３ａ，１５３ａのうちそれぞれ下側のビス挿通部１５３ａ，１５３ａへ不正防止用ビス１４４を前方（かしめカバー部材１４２側）から挿入し、不正防止用ビス１４４の先端をベース部材１４１のビス受け部１４９に係止および食い込ませることにより、ベース部材１４１とかしめカバー部材１４２とを一体化することによって、外ケース１２３の組み付けを完了する。
【００２７】
上記の如く組み付けられた状態においては、メイン制御基板１２１が、内ケース１２２および外ケース１２３により二重に覆われ、コネクタ１２５，１２５・・のみがコネクタ窓１３３，１３３・・から露出した状態となる。また、かしめカバー部材１４２の押さえリブ１５２ｂや押止リブ１５３ｂ，１５３ｂ、補強リブ１５３ｃ，１５３ｃ・・等が、表側ケース部材１３２の鍔片１３６、押止片１３７，１３７、固定片１３５や表面に当接しており、かしめカバー部材１４２を取り外さない限り、内ケース１２２を開放したり、固定片１３５をネジ止めしているネジ１５５を取り外したり、ビス収納部１４８から予備の不正防止用ビス１４４を取り出したり、識別シール１５６を剥離したりできないようになる。また、かしめカバー部材１４２の上壁１５２ａにより上機能部１４５の上面も被覆され、識別シール１５６のＩＣタグを有する側の面に容易に触れることができないようになる。
【００２８】
上記の如く組み付けられた制御装置１２０は、取付部材１８０，１８０等（図４参照）によって、機枠１０３の後面側に取り付けられる。そして、メイン制御基板１２１の検査（たとえば、ＲＯＭのチェック）等のため、再び開放する際には、不正防止用ビス１４４により固着状態にあるビス挿通部１５３ａの周縁の切断リブ１５４，１５４・・をニッパ等によって切断する。そのように切断すると、ビス挿通部１５３ａとかしめカバー部材１４２とが切り離され、ビス挿通部１５３ａをベース部材１４１側へ残したまま、かしめカバー部材１４２をベース部材１４１から取り外すことが可能となる。そのため、上記した組み付け手順とは逆の順序でネジ１５５，１５５を取り外すとともに識別シール１５６を剥離して、内ケース１２２をベース部材１４１から取り出し、ネジ１２４，１２４・・を外すことにより、メイン制御基板１２１の検査を行うことが可能となる。さらに、再び組み付ける際には、上記した手順と略同様の手順により、当初ビス収納部１４８へ収納していた予備の不正防止用ビス１４４，１４４を、当初使用しなかった上側のビス挿通部１５３ａ，１５３ａへ挿入し、それらの不正防止用ビス１４４の先端をベース部材１４１のビス受け部１４９に係止および食い込ませれば良い。
【００２９】
（４）本発明の特徴部分の説明
＜封緘ベルトの構成＞
図１０、図１１は、封緘ベルトを示したものであり、封緘ベルト１は、ナイロン、ポリエステル、ポリエチレン、ポリプロピレン等の合成樹脂によって一体的に形成されており、一定幅で薄肉な長尺状の帯状体２と、当該帯状体２の先端部分を挿入させた状態で保持可能なハウジングとして機能する係着部４とを有している。
【００３０】
また、帯状体２の先端部の表裏には、それぞれ、一定幅の三角柱状で複数の爪３ａ，３ａ・・が、先端から基端にかけて連続するように形成されている。それらの爪３ａ，３ａ・・は、先端側が傾斜状になっているとともに、基端側が帯状体２の表面に対して略直交した状態になっている。そのため、長手方向に沿った断面が略鋸刃状（矢尻状）になっている。
【００３１】
一方、係着部４は、略直方体状に形成されており、長手方向が帯状体２の長手方向に対して直交した状態になっている。また、係着部４の上下左右の略中央には、帯状体２を挿通させるための貫通孔４ａが、係着部４の長手方向に沿って設けられている。貫通孔４ａの片側の端縁は、帯状体２を挿入させるための挿入口４ｂとなっており、貫通孔４ａの反対側の端縁は、帯状体２を導出させるための導出口４ｃとなっている。加えて、係着部４の導出口４ｃの下側には、平板状の当着板４ｄが、係着部４の導出口４ｃ側の表面と面一になって下方に突出するように設けられている。
【００３２】
また、貫通孔４ａの挿入口４ｂ側の部分は、導出口４ｃ側の部分に比べて上下幅が狭くなっており、その幅狭な上下の内壁（幅狭部分）の奥側の端縁から、一対の係止片４ｅ，４ｅが、先端部を内部へ突出させるように片持ち状に設けられている。それらの一対の係止片４ｅ，４ｅは、基端から先端にかけて次第に相互の間隔が狭くなるように形成されている。また、それらの一対の係止片４ｅ，４ｅの外面と、貫通孔４ａの内壁（幅広な部分）との間には、それぞれ、一定幅の間隙が形成されており、係止片４ｅ，４ｅの先端部分の外向きの弾性変形を許容するようになっている。
【００３３】
かかる封緘ベルト１においては、帯状体２を環状に丸めた状態で、帯状体２の先端部分を係着部４の挿入口４ｂに矢印方向から挿入すると、帯状体２の先端部の爪３ａ，３ａ・・が、２つの係止片４ｅ，４ｅを拡開しつつ通過し、係止片４ｅ，４ｅの間を通過した途端に、係止片４ｅ，４ｅが弾性力で幅狭な状態に復元する。したがって、帯状体２の表裏において、一対の爪３ａ，３ａが係止片４ｅ，４ｅの先端面と係合するため、帯状体２の先端部を係着部４の内部から引き抜くことができなくなる。
【００３４】
＜制御装置の封緘ベルト装着部の構成＞
一方、制御装置１２０には、上記した封緘ベルト１を装着するための凹部が設けられている。すなわち、図１および図１２（ａ）の如く、制御装置１２０のかしめカバー部材１４２には、封緘ベルト１の係着部４を嵌め込むための第一凹部１１５が形成されている。また、その第一凹部１１５の下側には、封緘ベルト１の当着板４ｄを当着させるための当着凹部１１６が形成されている。さらに、第一凹部１１５の奥の底板１１７には、封緘ベルト１の帯状部３を挿通させるための挿通孔１０５ａ，１０５ｂが穿設されている。一方、ベース部材１４１の上端際（かしめカバー部材１４２の底板１１７と当着する部分）にも、それぞれ、封緘ベルト１の帯状部３を挿通させるための挿通孔１０６ａ，１０６ｂが穿設されている。また、ベース部材１４１の上端際には、奥行きに比べて間口が非常に狭い空洞部１１３が形成されている。
【００３５】
そして、制御装置１２０は、上記の如く、裏側ケース部材１３１および表側ケース部材１３２からなる内ケース１２２でメイン制御基板１２１を収容し、さらに、ベース部材１４１およびかしめカバー部材１４２からなる外ケース１２３で当該内ケース１２２を収容した状態で、封緘ベルト１によって封緘されている。
【００３６】
組み付けられた制御装置１２０を封緘ベルト１によって封緘する際には、図１２（ｂ）の如く、かしめカバー部材１４２の第一凹部１１５内の挿通孔１０５ａおよびベース部材１４１の挿通孔１０６ａを挿通させた封緘ベルト１の帯状部３の先端側を、かしめカバー部材１４２の後側でＵターン状に折り返し、ベース部材１４１の挿通孔１０６ｂおよびかしめカバー部材１４２の挿通孔１０５ｂに挿通させた後に、係着部４の挿入口４ｂ側に挿通させる。そのように、封緘ベルト１の帯状部３の先端側を係着部４に挿通させると、上記したラチェット機構によって、封緘ベルト１の帯状部３の先端側を係着部４から引き抜くことができなくなる。
【００３７】
そして、封緘ベルト１の係着部４に挿通させた帯状部３の先端側を引っ張ると、帯状部３が、第一凹部１１５および空洞部１１３の内部で、かしめカバー部材１４２、表側ケース部材１３２、裏側ケース部材１３１、およびベース部材１４１を弛みなく結合させた状態となる（図１２（ｂ）の如き状態となる）。そのように封緘ベルト１の帯状部３が、第一凹部１１５および空洞部１１３の内部で、かしめカバー部材１４２およびベース部材１４１を折返し状に貫通して、それらの部材の一部に弛みなく捲回された状態となると、封緘ベルト１の係着部４、当着板４ｄが、それぞれ、かしめカバー部材１４２の第一凹部１１５、当着凹部１１６に嵌め込まれた状態となる。
【００３８】
上記の如く封緘ベルト１によって封緘された制御装置１２０においては、上記した封緘ベルト１のラチェット機構によって、帯状部３を緩めることができないため、制御装置１２０を開放するためには、封緘ベルト１の帯状部３を切断しなければならない。
【００３９】
（５）制御装置の効果
制御装置１２０は、上記の如く、封緘ベルト１の帯状部３が表面に露出しない状態で上カバー（かしめカバー部材１４２）および下カバー（ベース部材１４１）の一部に捲回されているため、工具等を利用しても封緘ベルト１の帯状部３を切断することが困難であるので、痕跡を残さないようにメイン制御基板１２１（ＲＯＭ１１０等）に対して不正行為を働くことが難しく、良好な防犯性を発揮することができる。
【００４０】
また、制御装置１２０は、封緘ベルト１のハウジングである係着部４が、上カバー（かしめカバー部材１４２）に形成された第一凹部１１５内に入り込んだ状態になっているので、工具等を利用しても封緘ベルト１の帯状部３の抜け止め突起（爪３ａ，３ａ・・）と係着部４内の係合体（係止片４ｅ，４ｅ）との係合を解除させて上カバー（かしめカバー部材１４２）と下カバー（ベース部材１４１）とをこじ開けることが困難であるので、痕跡を残さないようにメイン制御基板１２１（ＲＯＭ１１０等）に対して不正行為を働くことがきわめて難しく、非常に優れた防犯性を発揮することができる。
【００４１】
さらに、制御装置１２０は、かしめカバー部材１４２の端縁に切断可能な複数のネジ保持部（ビス挿通部１５３ａ，１５３ａ）が設けられており、それらのネジ保持部の内の少なくとも１つが、ワンウェイタイプのネジによってベース部材１４１に螺着されているため、かしめカバー部材１４２の端縁のネジ保持部を切断しなければ、内ケース１２１と外ケース１２３とをこじ開けることが困難であるので、メイン制御基板１２１に対して不正行為を働くことがきわめて難しく、非常に高い防犯性を発揮することができる。
【００４２】
（６）制御装置の変更例
なお、本発明の制御装置は、上記実施形態の態様に何ら限定されるものではなく、封緘ベルト（挿通部、帯状部）、基板、上カバー（表側ケース部材、カバー部材）、下カバー（裏側ケース部材、ベース部材）等の形状、構造等の構成を本発明の趣旨を逸脱しない範囲内で適宜変更することができる。
【００４３】
たとえば、制御装置は、上記実施形態の如く、封緘ベルトのハウジングが、表面に露出しない状態で上カバーおよび下カバーを捲回したものに限定されず、封緘ベルトのハウジングが、上カバーあるいは下カバーの表面上に露出したものでも良い。一方、封緘ベルトは、上記実施形態の如く、ポリエチレンによって形成されたものに限定されず、ポリ塩化ビニル、ナイロン、ポリエステル、ポリプロピレン等のポリエチレン以外の合成樹脂によって形成されたものでも良いし、一部が合成樹脂以外の素材によって形成されたものでも良い。
【００４４】
加えて、上記実施形態においては制御装置がパチンコ機用のものである場合の一例について説明したが、本発明に係る制御装置は、スロットマシーンやテレビゲーム等のパチンコ機以外の遊技機用のものであっても良い。
【００４５】
なお、上記実施形態においては、本発明に係る制御装置の一例を示したにすぎず、特許請求の範囲、明細書、図面に記載されたすべての要素（たとえば、基板、上カバー（表側ケース部材、カバー部材、キャップ）、下カバー（裏側ケース部材、ベース部材）、不正防止用ビス等）は、個数を意識的に限定する明確な記載がない限り、物理的に単一であっても複数であっても構わないし、適宜配置の変更が行われても構わない。また、それらの要素につけられた名称（要素名）は、単に本件の記載のために便宜上付与したにすぎないものであり、それによって特別な意味が生じることを特に意識したものではない。したがって、要素名のみによって要素が何であるかが限定解釈されるものではない。たとえば、「〜装置」は、ハード単体でも、ソフトを含んだものであっても構わない。さらに、上記したすべての要素のうちの複数の要素を適宜一体的に構成するか、もしくは一つの要素を複数の要素に分けて構成するかは、いずれも当業者であれば容易に考えられる事項である。したがって、その程度の範囲内での構成上の差異を有する制御装置を、上記実施形態に記載がなされていないことを理由に採用することのみでは、本発明に係る権利を回避したことにはならない（すなわち、本発明に係る制御装置の技術的範囲から外れるものとしたことにはならない）。その他、各要素の構成や形状等における、上記実施形態から当業者であれば容易に考えられる自明な範囲の差異についても同様である。
【産業上の利用可能性】
【００４６】
本発明の制御装置は、上記の如く、趣向性の高いものであるので、パチンコ機、スロットマシーン等の遊技機用の制御装置として好適に用いることができる。
【符号の説明】
【００４７】
１・・封緘ベルト
３・・帯状部
３ａ・・爪（抜け止め突起）
４・・係着部（ハウジング）
４ｅ，４ｅ・・係止片（係合体）
１０１・・パチンコ機（遊技機）
１１０・・ＲＯＭ
１２０・・制御装置
１２１・・メイン制御装置
１３１・・裏側ケース部材（下カバー）
１３２・・表側ケース部材（上カバー）
１４１・・ベース部材（下カバー）
１４２・・かしめカバー部材（上カバー）
１４４・・不正防止用ビス
１５３ａ・・ビス挿通部（ネジ保持部）
【図１】
2015221098.tif 000003
【図２】
2015221098.tif 000004
【図３】
2015221098.tif 000005
【図４】
2015221098.tif 000006
【図５】
2015221098.tif 000007
【図６】
2015221098.tif 000008
【図７】
2015221098.tif 000009
【図８】
2015221098.tif 000010
【図９】
2015221098.tif 000011
【図１０】
2015221098.tif 000012
【図１１】
2015221098.tif 000013
【図１２】
2015221098.tif 000014